(57)【要約】  ロータの回転方向に沿って順に再生ゾーン１ｂ、パージゾーン１ｃおよび吸着ゾーン１ａを有する除湿ロータ１と、除湿ロータのパージゾーンの出力側と再生ゾーンの入力側を接続する第１の管路部分２ａ、および除湿ロータの再生ゾーンの出力側とパージゾーンの入力側を接続する第２の管路部分２ｂからなる閉ループ状管路２を備える。第１の管路部分に通気口５、ファン３およびヒータ４が設けられる。第２の管路部分にクーラ６が設けられる。クーラに凝縮水の排水機構６ａが接続される。さらに、除湿ロータの吸着ゾーンに除湿すべき空気を導入する処理空気導入管路７と、吸着ゾーンから乾いた空気を排出する調湿空気排出管路８を備える。
2019181864.tif 000002
【特許請求の範囲】
【請求項１】
ロータの回転方向に沿って順に再生ゾーン、パージゾーンおよび吸着ゾーンを有する除湿ロータと、
前記除湿ロータのパージゾーンの出力側と再生ゾーンの入力側を接続する第１の管路部分、および前記除湿ロータの再生ゾーンの出力側とパージゾーンの入力側を接続する第２の管路部分からなる閉ループ状管路と、
前記閉ループ状管路の第１の管路部分に設けられたファンと、
前記第１の管路部分における前記ファンの下流側に設けられたヒータと、
前記第１の管路部分における前記ファンの上流側に設けられ、外気中に開口した通気口と、
前記閉ループ状管路の第２の管路部分に設けられたクーラと、
前記クーラに接続され、前記クーラで発生した凝縮水を外部に排出する排水機構と、
前記除湿ロータの吸着ゾーンに除湿すべき空気を導入する処理空気導入管路と、
前記吸着ゾーンから調湿された空気を排出する調湿空気排出管路と、を備えたものであることを特徴とする除湿装置。
【請求項２】
前記閉ループ状管路の第２の管路部分における前記クーラの下流側に設けられ、ロータの回転方向に沿って順に再生ゾーンおよび吸着ゾーンを有する別の除湿ロータを備え、前記別の除湿ロータの吸着ゾーンが前記第２の管路部分と連通しており、さらに、
前記別の除湿ロータの再生ゾーンに再生用空気を導入する空気導入管路と、
前記別の除湿ロータの再生ゾーンから再生用空気を排出する空気排出管路と、
前記空気導入管路に設けられた別のヒータと、
前記空気排出管路に設けられた別のファンと、を備えたものであることを特徴とする請求項１に記載の除湿装置。
【請求項３】
前記除湿ロータがさらに前記吸着ゾーンおよび前記再生ゾーン間に予熱ゾーンを有しており、さらに、
前記閉ループ状管路の第２の管路部分における前記クーラの下流側から分岐した後、前記除湿ロータの予熱ゾーンを経て前記第１の管路部分における前記ファンの上流側に接続する分岐管路と、
前記第２の管路部分における前記クーラの上流側および前記分岐管路における前記除湿ロータの上流側に跨って設けられ、前記除湿ロータの再生ゾーンから排出される空気の熱を前記除湿ロータの予熱ゾーンに導入される空気に供給する熱交換器と、を備えたものであることを特徴とする請求項１に記載の除湿装置。
【発明の詳細な説明】
【技術分野】
【０００１】
本発明は、除湿装置、特に、除湿ロータを備えた除湿装置に関するものである。
【背景技術】
【０００２】
この種の除湿装置として、例えば特許文献１に記載されたようなものがある。
特許文献１に記載の除湿装置は、ロータの回転方向順に再生ゾーン、第１のパージゾーン、吸着ゾーンおよび第２のパージゾーンを有する除湿ロータと、第１のパージゾーンおよび第２のパージゾーンの間に設けられた閉鎖系の循環経路と、循環経路に設けられたパージ空気用冷却装置およびパージ空気循環用ファンを備えている。【０００３】
この除湿装置は、また、処理対象空気を除湿ロータの吸着ゾーンに導入する導入ダクトと、吸着ゾーンから除湿空気を低湿度室に供給する供給ダクトを備えている。そして、導入ダクトには、上流側から順に、空気取入用ファンおよびプレクーラが設けられ、供給ダクトには、上流側から順に、冷却装置、加熱装置および室内空気循環用ファンが設けられている。【０００４】
さらに、除湿装置は、除湿ローラの再生ゾーンに再生外気を給気する給気ダクトと、再生ゾーンから再生排気を外部に排出する排気ダクトを備えており、給気ダクトに加熱装置が設けられ、排気ダクトには再生用空気用ファンが設けられている。【０００５】
こうして、パージ空気が、第１および第２のパージゾーンを通る閉ループ状管路内において循環する。この場合、パージ空気は、第１のパージゾーンを通過して除湿ロータを冷却し、除湿ロータによって加熱された後、第２のパージゾーンに導入され、第２のパージゾーンを通過する間に除湿ロータを加熱し、除湿ロータによって冷却される。よって、除湿ロータは次の再生ゾーンに入る前に加熱されるので、再生ゾーンでの加熱量の低減が図られる。【０００６】
また、除湿ロータは、第２のパージゾーンおよび再生ゾーンを順に通過して所定温度まで加熱され、その後、再生ゾーンから吸着ゾーンへ移動する前に、第１のパージゾーンにおいて、パージ空気用冷却装置で冷却されたパージ空気によって冷却されるので、吸着ゾーンでの水蒸気等の吸着・吸収能力が増大せしめられる。【０００７】
また、パージ空気を閉ループ状管路内で循環させることによって、従来よりもパージ空気の流量を減らし、熱効率を上げることができる。【０００８】
しかしながら、この除湿装置では、再生ゾーンの再生用空気として再生外気を使用し、再生外気を加熱装置によって加熱した後、再生ゾーンに導入している。
しかしながら、外気の温度は年間を通じて変化し、特に、冬季は夏季に比べて外気の温度が相当低いので、再生外気の加熱の際のエネルギー消費量が増大するという問題があった。【０００９】
また、再生外気の湿度も年間を通じて変化するので、ロータの除湿能力に係る再生ゾーン入口および吸着ゾーン出口間における空気の相対湿度の差が変化し、外気の相対湿度が高い場合には、ロータの吸着ゾーンの除湿能力が低下するという問題があった。
【先行技術文献】
【特許文献】
【００１０】
【特許文献１】特開２００６−３２６５０４号公報
【発明の概要】
【発明が解決しようとする課題】
【００１１】
したがって、本発明の課題は、エネルギー消費量が少ない除湿装置を提供することにある。
【課題を解決するための手段】
【００１２】
上記課題を解決するため、本発明によれば、ロータの回転方向に沿って順に再生ゾーン、パージゾーンおよび吸着ゾーンを有する除湿ロータと、前記除湿ロータのパージゾーンの出力側と再生ゾーンの入力側を接続する第１の管路部分、および前記除湿ロータの再生ゾーンの出力側とパージゾーンの入力側を接続する第２の管路部分からなる閉ループ状管路と、前記閉ループ状管路の第１の管路部分に設けられたファンと、前記第１の管路部分における前記ファンの下流側に設けられたヒータと、前記第１の管路部分における前記ファンの上流側に設けられ、外気中に開口した通気口と、前記閉ループ状管路の第２の管路部分に設けられたクーラと、前記クーラに接続され、前記クーラで発生した凝縮水を外部に排出する排水機構と、前記除湿ロータの吸着ゾーンに除湿すべき空気を導入する処理空気導入管路と、前記吸着ゾーンから調湿された空気を排出する調湿空気排出管路と、を備えたものであることを特徴とする除湿装置が提供される。【００１３】
本発明の好ましい実施例によれば、前記除湿装置は、さらに、前記閉ループ状管路の第２の管路部分における前記クーラの下流側に設けられ、ロータの回転方向に沿って順に再生ゾーンおよび吸着ゾーンを有する別の除湿ロータを備え、前記別の除湿ロータの吸着ゾーンが前記第２の管路部分と連通しており、さらに、前記除湿装置は、前記別の除湿ロータの再生ゾーンに再生用空気を導入する空気導入管路と、前記別の除湿ロータの再生ゾーンから再生用空気を排出する空気排出管路と、前記空気導入管路に設けられた別のヒータと、前記空気排出管路に設けられた別のファンと、を備えている。【００１４】
本発明の別の好ましい実施例によれば、前記除湿ロータがさらに前記吸着ゾーンおよび前記再生ゾーン間に予熱ゾーンを有しており、前記除湿装置は、さらに、前記閉ループ状管路の第２の管路部分における前記クーラの下流側から分岐した後、前記除湿ロータの予熱ゾーンを経て前記第１の管路部分における前記ファンの上流側に接続する分岐管路と、前記第２の管路部分における前記クーラの上流側および前記分岐管路における前記除湿ロータの上流側に跨って設けられ、前記除湿ロータの再生ゾーンから排出される空気の熱を前記除湿ロータの予熱ゾーンに導入される空気に供給する熱交換器と、を備えている。
【発明の効果】
【００１５】
本発明によれば、除湿ロータにロータの回転方向に沿って順に再生ゾーン、パージゾーンおよび吸着ゾーンが備えられ、再生ゾーンおよびパージゾーンを通る閉ループ状管路内を空気が循環する。
この循環の間に、ヒータによって加熱された空気が、再生ゾーンに導入され、ロータに含まれた水分を吸収する。一方、ロータは、この空気によって再生（乾燥）され、再生ゾーンからパージゾーンへ移動する。【００１６】
ロータの再生に使用され、水分を含んだ空気は、再生ゾーンから排出されてクーラに導入される。クーラに導入された空気は、凝縮されて水分を除去される。除去された水分（凝縮水）は、クーラから排水機構を通じて外部に排出される。【００１７】
クーラから排出された空気は、パージゾーンに導入される。パージゾーンでは、ロータがこの空気によって冷却される一方、空気はロータによって加熱される。パージゾーンで冷却されたロータは、吸着ゾーンへ移動する。【００１８】
吸着ゾーンにおいて、ロータは、処理空気導入管路を通って導入された、除湿すべき空気中の水分を吸着する。そして、ロータによって水分を除去され、調湿された空気が吸着ゾーンから調湿空気排出管路を通じて排出される。
吸着ゾーンにおいて水分を吸着したロータは、再生ゾーンへ移動する。【００１９】
パージゾーンから排出された空気は、再びヒータによって加熱され、再生用空気として再生ゾーンに導入される。
なお、この循環の間に、循環する空気の圧力変動および除湿装置からの空気の漏れ等によって、通気口から除湿装置内に外気が流入する場合があるが、この外気の流入量は僅かであり、循環する空気への影響は殆どない。【００２０】
こうして、ロータの再生用およびパージ用空気を、閉ループ状管路を通じ、除湿ロータの再生ゾーンおよびパージゾーン間において循環させて外気から隔離しているので、外気の温湿度の変化を受けずに、ロータの再生用およびパージ用空気の温湿度調整を行うことができ、それによって、除湿装置全体のエネルギー消費量が減少し、また安定した除湿性能が得られる。
【図面の簡単な説明】
【００２１】
【図１】（Ａ）は本発明の１実施例による除湿装置の概略構成を示す図であり、（Ｂ）は（Ａ）の除湿装置の除湿ロータの模式的な断面図である。
【図２】（Ａ）は本発明の別の実施例による除湿装置の概略構成を示す図であり、（Ｂ）および（Ｃ）は（Ａ）の除湿装置の除湿ロータの模式的な断面図である。
【図３】（Ａ）は本発明のさらに別の実施例による除湿装置の概略構成を示す図であり、（Ｂ）は（Ａ）の除湿装置の除湿ロータの模式的な断面図である。
【図４】（Ａ）は本発明のさらに別の実施例による除湿装置の概略構成を示す図であり、（Ｂ）は（Ａ）の除湿装置の除湿ロータの模式的な断面図である。
【発明を実施するための形態】
【００２２】
以下、添付図面を参照しつつ、本発明の構成を好ましい実施例に基づいて説明する。
図１（Ａ）は、本発明の１実施例による除湿装置の概略構成を示す図であり、図１（Ｂ）は、図１（Ａ）に示した除湿装置の除湿ロータの模式的な断面図である。
図１を参照して、本発明によれば、ロータの回転方向に沿って順に再生ゾーン１ｂ、パージゾーン１ｃおよび吸着ゾーン１ａを有する除湿ロータ１と、除湿ロータ１の再生ゾーン１ｂおよびパージゾーン１ｃを通る閉ループ状管路２が備えられる。
【００２３】
閉ループ状管路２は、除湿ロータ１のパージゾーン１ｃの出力側と再生ゾーン１ｂの入力側を接続する第１の管路部分２ａと、除湿ロータ１の再生ゾーン１ｂの出力側とパージゾーン１ｃの入力側を接続する第２の管路部分２ｂとからなっている。
【００２４】
また、閉ループ状管路２の第１の管路部分２ａにファン３が設けられ、第１の管路部分２ａにおけるファン３の下流側にヒータ４が設けられている。第１の管路部分２ａにおけるファン３の上流側には、外気中に開口した通気口５が設けられている。
【００２５】
閉ループ状管路２の第２の管路部分２ｂにクーラ６が設けられている。クーラ６には、クーラ６で発生した凝縮水を外部に排出するための排水機構６ａが接続されている。
【００２６】
さらに、除湿ロータ１の吸着ゾーン１ａに除湿すべき空気を導入する処理空気導入管路７と、吸着ゾーン１ａから乾いた空気を排出する調湿空気排出管路８が備えられる。
【００２７】
なお、図示はしないが、必要に応じて、流量制御器が、閉ループ状管路２、処理空気導入管路７および調湿空気排出管路８を流れる空気の流量を制御するために、それらの管路２、７、８の必要な場所に設けられ得る。
【００２８】
本発明の除湿装置においては、ファン３の駆動によって、除湿ロータ１の再生ゾーン１ｂおよびパージゾーン１ｃを通る閉ループ状管路２内を空気が循環する。
この循環の間に、ヒータ４によって加熱された空気（再生用空気）が、再生ゾーン１ｂに導入され、除湿ロータ１のロータに含まれた水分を吸収する。一方、ロータは、この空気によって乾燥（再生）され、再生ゾーン１ｂからパージゾーン１ｃへ移動する。
【００２９】
ロータの再生に使用され、水分を吸収した空気は、再生ゾーン１ｂから排出されてクーラ６に導入される。クーラ６に導入された空気は、凝縮されて水分を除去される（除湿される）。除去された水分（凝縮水）は、クーラ６から排水機構６ａを通じて外部に排出される。
【００３０】
クーラ６から排出された空気（パージ用空気）はパージゾーン１ｃに導入される。パージゾーン１ｃでは、ロータがこの空気によって冷却される一方、空気はロータによって加熱される。冷却されたロータは吸着ゾーン１ａへ移動する。
【００３１】
吸着ゾーン１ａにおいて、ロータは、処理空気導入管路７を通って導入された、除湿すべき空気中の水分を吸着する。そして、ロータによって水分を除去され、調湿された空気が吸着ゾーンから調湿空気排出管路８を通じて排出される。
吸着ゾーン１ａにおいて水分を吸着したロータは、再生ゾーン１ｂへ移動する。
【００３２】
パージゾーン１ｃから排出された空気は、再びヒータ４によって加熱され、再生ゾーン１ｂに導入される。
なお、この循環の間に、循環する空気の圧力変動および除湿装置からの空気の漏れ等によって、通気口５から除湿装置内に外気が流入する場合があるが、この外気の流入量は僅かであり、循環する空気への影響は殆どない。
【００３３】
この実施例によれば、ロータの再生用およびパージ用空気を、閉ループ状管路２を通じ、除湿ロータ１の再生ゾーン１ｂおよびパージゾーン１ｃ間において循環させて外気から隔離したので、外気の温湿度の変化の影響を受けることなく、再生用空気の温湿度調整を行うことができ、それによって、除湿装置全体のエネルギー消費量も減少する。
【００３４】
図２（Ａ）は、本発明の別の実施例による除湿装置の概略構成を示す図であり、図２（Ｂ）は、図２（Ａ）に示した除湿装置の除湿ロータの模式的な断面図である。
図２の実施例は、図１の実施例において、閉ループ状管路の第２の管路部分に別の除湿ロータを追加した点が異なるだけである。よって、図２中、図１に示したものと同じ構成要素には同一番号を付し、以下ではそれらの詳細な説明を省略する。
【００３５】
図２を参照して、この実施例では、閉ループ状管路２の第２の管路部分２ｂにおけるクーラ６の下流側に除湿ロータ９が設けられる。
除湿ロータ９は、図２（Ｂ）に示すように、再生ゾーン９ｂおよび吸着ゾーン９ａを有し、除湿ロータ９の吸着ゾーン９ａが第２の管路部分２ｂと連通している。
【００３６】
また、除湿ロータ９の再生ゾーン９ｂに再生用空気を導入する空気導入管路１０と、再生ゾーン９ｂから再生用空気を排出する空気排出管路１１が設けられている。
さらに、空気導入管路１０にヒータ１２が設けられ、空気排出管路に１１にファン１３が設けられている。
【００３７】
この実施例によれば、クーラ６によって吸湿された空気が、さらに除湿ロータ９によって吸湿され、より乾いた空気が除湿ロータ１のパージゾーン１ｃに導入される。
こうして、図１の実施例の場合よりも、閉ループ状管路２を循環する空気に含まれる水分量を減少させ、除湿ロータ１の除湿能力をより高めることができ、それによって、より低露点の調湿空気が得られる。
【００３８】
図３（Ａ）は、本発明のさらに別の実施例による除湿装置の概略構成を示す図であり、図３（Ｂ）は、図３（Ａ）に示した除湿装置の除湿ロータの模式的な断面図である。
図３の実施例は、図１の実施例と、除湿ロータにゾーンを１つ追加し、それに伴う配管系を追加した点が異なるだけである。よって、図３中、図１に示したものと同じ構成要素には同一番号を付し、以下ではそれらの詳細な説明を省略する。
【００３９】
図３（Ｂ）に示すように、この実施例では、除湿ロータ１’は、吸着ゾーン１ａと再生ゾーン１ｂの間にさらに予熱ゾーン１ｄを有している。
また、図３（Ａ）に示すように、閉ループ状管路２の第２の管路部分２ｂにおけるクーラ６の下流側から分岐した後、除湿ロータ１’の予熱ゾーン１ｄを経て第１の管路部分２ａにおけるファン３の上流側に接続する分岐管路１４が備えられる。
そして、分岐管路１４と第１の管路部分２ａの接続点に通気口５が設けられている。
【００４０】
さらに、熱交換器１５が第２の管路部分２ｂにおけるクーラ６の上流側および分岐管路１４における除湿ロータ１’の上流側に跨って設けられ、除湿ロータ１の再生ゾーン１ｂから排出される空気の熱を除湿ロータ１の予熱ゾーン１ｄに導入される空気に供給するようになっている。
【００４１】
なお、図示はしないが、必要に応じて、流量制御器が、閉ループ状管路２、分岐管路１４、処理空気導入管路７および調湿空気排出管路８を流れる空気の流量を制御するために、それらの管路２、７、８、１４の必要な場所に設けられ得る。
【００４２】
この実施例では、ファン３の駆動によって、予熱ゾーン１ｄ、再生ゾーン１ｂおよびパージゾーン１ｃを通る閉ループ状管路２、１４内を空気が循環する。
この循環の間に、ヒータ４によって加熱された空気（再生用空気）が、再生ゾーン１ｂに導入され、除湿ロータ１のロータに含まれた水分を吸収する。一方、ロータは、この空気によって再生（乾燥）され、再生ゾーン１ｂからパージゾーン１ｃへ移動する。
【００４３】
水分を吸収した空気は、再生ゾーン１ｂから排出されて熱交換器１５に導入され、熱交換器１５によって冷却された後、クーラ６に導入される。クーラ６に導入された空気は、凝縮されて水分を除去される。除去された水分（凝縮水）はクーラ６から排水機構６ａを通じて外部に排出される。
【００４４】
クーラ６から排出された空気は、第２の管路部分２ｂと分岐管路１４の接続点において、一部が分岐管路１４側に分流して熱交換器１５に導入され、残りがパージゾーン１ｃに導入される。
【００４５】
パージゾーン１ｃに導入された空気（パージ用空気）は、ロータを冷却する（ロータによって加熱される）。冷却されたロータは吸着ゾーン１ａへ移動する。
【００４６】
吸着ゾーン１ａにおいて、ロータは、処理空気導入管路７を通って導入された、除湿すべき空気中の水分を吸着する。そして、ロータによって水分を除去され、調湿された空気が吸着ゾーンから調湿空気排出管路８を通じて排出される。
吸着ゾーン１ａにおいて水分を吸着したロータは、再生ゾーン１ｂへ移動する。
【００４７】
一方、熱交換器１５に導入された空気は、熱交換器１５によって加熱された後、予熱ゾーン１ｄに導入される（予熱用空気）。
予熱ゾーン１ｄでは、ロータがこの空気によって加熱される一方、空気はロータによって冷却される。加熱されたロータは再生ゾーンへ移動する。
【００４８】
予熱ゾーン１ｄから排出された空気は、閉ループ状管路２（第１の管路部分２ａ）に導入されて、パージゾーン１ｃから排出された空気と混合された後、ヒータ４によって加熱され、再生ゾーン１ｂに導入される。
【００４９】
なお、この循環の間に、循環する空気の圧力変動および除湿装置からの空気の漏れ等によって、通気口５から除湿装置内に外気が流入する場合があるが、この外気の流入量は僅かであり、循環する空気への影響は殆どない。
【００５０】
この実施例によれば、ロータの再生用、予熱用およびパージ用空気を、閉ループ状管路２、１４を通じ、除湿ロータ１’の予熱ゾーン１ｄ、再生ゾーン１ｂおよびパージゾーン１ｃ間において循環させて外気から隔離しているので、外気の温湿度の変化の影響を受けずに、ロータの再生用、予熱用およびパージ用空気の温湿度調整を行うことができ、それによって、除湿装置全体のエネルギー消費量が減少する。また、ロータの再生能力が安定するため、除湿装置全体の除湿能力が安定する。
【００５１】
さらに、再生ゾーン１ｂでロータの再生に使用され、水分を含んだ空気を、直接冷却器６に導入せずに、熱交換器１５によって一定程度まで冷却した後、冷却器６に導入するので、冷却器６のエネルギー消費量が減少する。
また、冷却器６から排出された低温の空気を、直接予熱ゾーン１ｄに導入せずに、熱交換器１５によって一定程度まで加熱した後、予熱ゾーン１ｄに導入するので、ロータの予熱効率が上がる。しかも、この空気の加熱を、熱交換器１５を通じ、再生ゾーン１ｂから排出された空気によって行うのでエネルギーの利用効率も良くなる。
【００５２】
加えて、予熱ゾーン１ｄから排出された低温の空気を、パージゾーン１ｃから排出された高温の空気と混合した後、ヒータ４によって加熱するので、ヒータ４のエネルギー消費量がより減少する。
【００５３】
図４（Ａ）は、本発明のさらに別の実施例による除湿装置の概略構成を示す図であり、図４（Ｂ）は、図４（Ａ）に示した除湿装置の除湿ロータの模式的な断面図である。
図４の実施例は、図３の除湿装置をドライルームその他の調湿空間の除湿のために適用したものである。
よって、図４中、図３に示したものと同じ構成要素には同一番号を付し、以下ではそれらの詳細な説明を省略する。
【００５４】
図４を参照して、この実施例では、処理空気導入管路７の入口端が調湿空間２０の排気口２０ａに接続され、処理空気導入管路７にクーラ１６が設けられ、処理空気導入管路７におけるクーラ１６の上流側にファン１７が設けられている。クーラ１６には、クーラ１６で発生した凝縮水を外部に排出するための排水機構１６ａが接続されている。
【００５５】
また、処理空気空気導入管路７におけるファン１７の上流側に外気導入管路１８が分岐接続され、外気導入管路１８にクーラ１９が設けられ、調湿空気排出管路８の出口端は調湿空間２０の給気口２０ｂに接続されている。クーラ１９には、クーラ１９で発生した凝縮水を外部に排出するための排水機構１９ａが接続されている。
【００５６】
こうして、ファン１７の駆動によって、調湿空間２０内の空気が、排気口２０ａから処理空気導入管路７に導入され、クーラ１６によって冷却、凝縮された後、除湿ロータ１’の吸着ゾーン１ａにおいて水分を除去される（調湿される）。クーラ１６で発生した凝縮水は、排水機構１６ａを通じて外部に排出される。
調湿された空気は、吸着ゾーン１ａから調湿空気排出管路８に導入され、給気口２０ｂから調湿空間２０内に戻される。
【００５７】
なお、調湿空間２０から外部に空気が排出される等して空気量に不足が生じた場合には、不足分の空気が外気導入管路１８を通じ、クーラ１９によって冷却、凝縮された後、処理空気導入管路７に供給される。クーラ１９で発生した凝縮水は、排水機構１９ａを通じて外部に排出される。
【符号の説明】
【００５８】
１、１’  除湿ロータ
１ａ  吸着ゾーン
１ｂ  再生ゾーン
１ｃ  パージゾーン
１ｄ  予熱ゾーン
２  閉ループ状管路
２ａ  第１の管路部分
２ｂ  第２の管路部分
３  ファン
４  ヒータ
５  通気口
６  クーラ
６ａ  排水機構
７  処理空気導入管路
８  調湿空気排出管路
９  除湿ロータ
９ａ  吸着ゾーン
９ｂ  再生ゾーン
１０  空気導入管路
１１  空気排出管路
１２  ヒータ
１３  ファン
１４  分岐管路
１６  クーラ
１６ａ  排水機構
１７  ファン
１８  外気導入管路
１９  クーラ
１９ａ  排水機構
２０  調湿空間
２０ａ  排気口
２０ｂ  給気口
【図１】
2019181864.tif 000003
【図２】
2019181864.tif 000004
【図３】
2019181864.tif 000005
【図４】
2019181864.tif 000006
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
ロータの回転方向に沿って順に再生ゾーン、パージゾーンおよび吸着ゾーンを有する除湿ロータと、
前記除湿ロータのパージゾーンの出力側と再生ゾーンの入力側を接続する第１の管路部分、および前記除湿ロータの再生ゾーンの出力側とパージゾーンの入力側を接続する第２の管路部分からなる閉ループ状管路と、
前記閉ループ状管路の第１の管路部分に設けられたファンと、
前記第１の管路部分における前記ファンの下流側に設けられたヒータと、
前記第１の管路部分における前記ファンの上流側に設けられ、外気中に開口した通気口と、
前記閉ループ状管路の第２の管路部分に設けられたクーラと、
前記クーラに接続され、前記クーラで発生した凝縮水を外部に排出する排水機構と、
前記除湿ロータの吸着ゾーンに除湿すべき空気を導入する処理空気導入管路と、
前記吸着ゾーンから調湿された空気を排出する調湿空気排出管路と、
前記閉ループ状管路の第２の管路部分における前記クーラの下流側に設けられ、ロータの回転方向に沿って順に再生ゾーンおよび吸着ゾーンを有する別の除湿ロータと、を備え、前記別の除湿ロータの吸着ゾーンが前記第２の管路部分と連通しており、さらに、
前記別の除湿ロータの再生ゾーンに再生用空気を導入する空気導入管路と、
前記別の除湿ロータの再生ゾーンから再生用空気を排出する空気排出管路と、
前記空気導入管路に設けられた別のヒータと、
前記空気排出管路に設けられた別のファンと、を備えたものであることを特徴とする除湿装置。
【請求項２】
ロータの回転方向に沿って順に再生ゾーン、パージゾーン、吸着ゾーンおよび予熱ゾーンを有する除湿ロータと、
前記除湿ロータのパージゾーンの出力側と再生ゾーンの入力側を接続する第１の管路部分、および前記除湿ロータの再生ゾーンの出力側とパージゾーンの入力側を接続する第２の管路部分からなる閉ループ状管路と、
前記閉ループ状管路の第１の管路部分に設けられたファンと、
前記第１の管路部分における前記ファンの下流側に設けられたヒータと、
前記第１の管路部分における前記ファンの上流側に設けられ、外気中に開口した通気口と、
前記閉ループ状管路の第２の管路部分に設けられたクーラと、
前記クーラに接続され、前記クーラで発生した凝縮水を外部に排出する排水機構と、
前記除湿ロータの吸着ゾーンに除湿すべき空気を導入する処理空気導入管路と、
前記吸着ゾーンから調湿された空気を排出する調湿空気排出管路と、
前記閉ループ状管路の第２の管路部分における前記クーラの下流側から分岐した後、前記除湿ロータの予熱ゾーンを経て前記第１の管路部分における前記ファンの上流側に接続する分岐管路と、
前記第２の管路部分における前記クーラの上流側および前記分岐管路における前記除湿ロータの上流側に跨って設けられ、前記除湿ロータの再生ゾーンから排出される空気の熱を前記除湿ロータの予熱ゾーンに導入される空気に供給する熱交換器と、を備えたものであることを特徴とする除湿装置。
【手続補正２】
【補正対象書類名】明細書
【補正対象項目名】００１２
【補正方法】変更
【補正の内容】
【００１２】
上記課題を解決するため、第１の発明によれば、ロータの回転方向に沿って順に再生ゾーン、パージゾーンおよび吸着ゾーンを有する除湿ロータと、前記除湿ロータのパージゾーンの出力側と再生ゾーンの入力側を接続する第１の管路部分、および前記除湿ロータの再生ゾーンの出力側とパージゾーンの入力側を接続する第２の管路部分からなる閉ループ状管路と、前記閉ループ状管路の第１の管路部分に設けられたファンと、前記第１の管路部分における前記ファンの下流側に設けられたヒータと、前記第１の管路部分における前記ファンの上流側に設けられ、外気中に開口した通気口と、前記閉ループ状管路の第２の管路部分に設けられたクーラと、前記クーラに接続され、前記クーラで発生した凝縮水を外部に排出する排水機構と、前記除湿ロータの吸着ゾーンに除湿すべき空気を導入する処理空気導入管路と、前記吸着ゾーンから調湿された空気を排出する調湿空気排出管路と、前記閉ループ状管路の第２の管路部分における前記クーラの下流側に設けられ、ロータの回転方向に沿って順に再生ゾーンおよび吸着ゾーンを有する別の除湿ロータと、を備え、前記別の除湿ロータの吸着ゾーンが前記第２の管路部分と連通しており、さらに、前記別の除湿ロータの再生ゾーンに再生用空気を導入する空気導入管路と、前記別の除湿ロータの再生ゾーンから再生用空気を排出する空気排出管路と、前記空気導入管路に設けられた別のヒータと、前記空気排出管路に設けられた別のファンと、を備えたものであることを特徴とする除湿装置が提供される。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
上記課題を解決するため、また、第２の発明によれば、ロータの回転方向に沿って順に再生ゾーン、パージゾーン、吸着ゾーンおよび予熱ゾーンを有する除湿ロータと、前記除湿ロータのパージゾーンの出力側と再生ゾーンの入力側を接続する第１の管路部分、および前記除湿ロータの再生ゾーンの出力側とパージゾーンの入力側を接続する第２の管路部分からなる閉ループ状管路と、前記閉ループ状管路の第１の管路部分に設けられたファンと、前記第１の管路部分における前記ファンの下流側に設けられたヒータと、前記第１の管路部分における前記ファンの上流側に設けられ、外気中に開口した通気口と、前記閉ループ状管路の第２の管路部分に設けられたクーラと、前記クーラに接続され、前記クーラで発生した凝縮水を外部に排出する排水機構と、前記除湿ロータの吸着ゾーンに除湿すべき空気を導入する処理空気導入管路と、前記吸着ゾーンから調湿された空気を排出する調湿空気排出管路と、前記閉ループ状管路の第２の管路部分における前記クーラの下流側から分岐した後、前記除湿ロータの予熱ゾーンを経て前記第１の管路部分における前記ファンの上流側に接続する分岐管路と、前記第２の管路部分における前記クーラの上流側および前記分岐管路における前記除湿ロータの上流側に跨って設けられ、前記除湿ロータの再生ゾーンから排出される空気の熱を前記除湿ロータの予熱ゾーンに導入される空気に供給する熱交換器と、を備えたものであることを特徴とする除湿装置が提供される。
【手続補正５】
【補正対象書類名】明細書
【補正対象項目名】００１５
【補正方法】変更
【補正の内容】
【００１５】
第１の発明によれば、ロータの再生用およびパージ用空気を、閉ループ状管路を通じ、除湿ロータの再生ゾーンおよびパージゾーン間において循環させて外気から隔離しているので、外気の温湿度の変化を受けずに、ロータの再生用およびパージ用空気の温湿度調整を行うことができ、それによって、除湿装置全体のエネルギー消費量が減少し、また安定した除湿性能が得られる。
【手続補正６】
【補正対象書類名】明細書
【補正対象項目名】００１６
【補正方法】変更
【補正の内容】
【００１６】
さらには、閉ループ状管路において、クーラによって吸湿された空気を、別の除湿ロータによって吸湿し、より乾いた空気を除湿ロータのパージゾーンに導入しているので、閉ループ状管路を循環する空気に含まれる水分量をより減少させ、除湿ロータの除湿能力をさらに高めることができ、それによって、より低露点の調湿空気が得られる。
【手続補正７】
【補正対象書類名】明細書
【補正対象項目名】００１７
【補正方法】変更
【補正の内容】
【００１７】
第２の発明によれば、ロータの再生用、予熱用およびパージ用空気を、閉ループ状管路を通じ、除湿ロータの予熱ゾーン、再生ゾーンおよびパージゾーン間において循環させて外気から隔離しているので、外気の温湿度の変化の影響を受けずに、ロータの再生用、予熱用およびパージ用空気の温湿度調整を行うことができ、それによって、除湿装置全体のエネルギー消費量が減少する。また、ロータの再生能力が安定するため、除湿装置全体の除湿能力が安定する。
【手続補正８】
【補正対象書類名】明細書
【補正対象項目名】００１８
【補正方法】変更
【補正の内容】
【００１８】
さらに、再生ゾーンでロータの再生に使用され、水分を含んだ空気を、直接冷却器に導入せずに、熱交換器によって一定程度まで冷却した後、冷却器に導入するので、冷却器のエネルギー消費量が減少する。
また、冷却器から排出された低温の空気を、直接予熱ゾーンに導入せずに、熱交換器によって一定程度まで加熱した後、予熱ゾーンに導入するので、ロータの予熱効率が上がる。しかも、この空気の加熱を、熱交換器を通じ、再生ゾーンから排出された空気によって行うのでエネルギーの利用効率も良くなる。
【手続補正９】
【補正対象書類名】明細書
【補正対象項目名】００１９
【補正方法】変更
【補正の内容】
【００１９】
加えて、予熱ゾーンから排出された低温の空気を、パージゾーンから排出された高温の空気と混合した後、ヒータによって加熱するので、ヒータのエネルギー消費量がより減少する。
【手続補正１０】
【補正対象書類名】明細書
【補正対象項目名】００２０
【補正方法】削除
【補正の内容】
【国際調査報告】
2019181864.tif 000007
2019181864.tif 000008
2019181864.tif 000009
2019181864.tif 000010